(57)【特許請求の範囲】
【請求項１】
市販ボトルのキャップに取り付けられるカップ状の取付部材と、上記取付部材に着脱可能に取り付けられたカップ本体から成り、上記カップ本体内と上記取付部材との間の空間に物品を収納可能な収容部が設けられ、上記取付部材内には、一端部が閉鎖された円筒状の保持部が設けられ、上記保持部の内周面には、上記キャップの外側面の溝が嵌合する突起が形成され、上記キャップに上記取付部材を嵌合させた状態で、上記キャップは上記保持部内に一体的に組み合わされ、上記取付部材を回転させると、上記キャップと上記市販ボトルの注ぎ口との螺合が解除され、上記キャップが上記保持部内に嵌合した状態で一体的に上記市販ボトルの注ぎ口から外れることを特徴とする市販ボトル用アダプタ。
【請求項２】
上記市販ボトル用アダプタは、上記カップ本体に形成された係合部と、上記取付部材に形成された被係合部を有し、上記係合部と被係合部が係合して上記カップ本体が上記取付部材に取り付けられることを特徴とする請求項１記載の市販ボトル用アダプタ。
【請求項３】
上記収容部の中には、複数個のコップが収納可能であることを特徴とする請求項２記載の市販ボトル用アダプタ。
【発明の詳細な説明】
【０００１】
【発明の属する技術分野】
この発明は、ジュース等の飲料が入れられて市販される市販ＰＥＴボトル等に取り付けられ、物品等の収容部を形成した市販ボトル用アダプタに関する。
【０００２】
【従来の技術】
従来、お茶やジュース等の飲料が入れられて市販されるポリエチレン（ＰＥＴ）製等のボトルは、容量が１ｌ（リットル）のものや５００ｍｌのものなど、多種類がある。そして５００ｍｌの市販ボトルは、１人分として手頃な大きさであることから携帯用として使用され、外出先で市販ボトルに直接口を付けて飲料を飲むことがある。また、市販ボトルにストロー等を装着して飲む場合もある。
【０００３】
【発明が解決しようとする課題】
上記従来の技術の場合、市販ボトルに直接口を付けたりストローを差したりして飲むと、市販ボトル内の飲料に汚れや唾液が入り、衛生的ではなかった。また市販ボトルに口を付けて飲むことは、見た目にあまり良くない。しかし、市販ボトルと別体のコップを持ち歩くことは荷物が増えて面倒である。コップ付きのボトルカバーも市販されているが、これは市販ボトル全体を収容し覆うものであり、カバーやコップのコストがかかり、取り扱いも面倒なものである。
【０００４】
この発明は上記従来の問題点に鑑みてなされたものであり、簡単な構造で市販ボトルに着脱自在に取り付けられ、コップ等を入れる収容部を設けた市販ボトル用アダプタを提供することを目的とする。
【０００５】
【課題を解決するための手段】
この発明は、市販ボトルの注ぎ口に取り付けられる取付部材と、上記取付部材に着脱可能に取り付けられたカップ本体が設けられ、上記カップ本体内に物品を収納可能な収容部を形成した市販ボトル用アダプタである。上記収容部は、上記カップ本体と取付部材とで形成される空間からなる。上記市販ボトル用アダプタは、上記カップ本体に形成された係合部と、上記取付部材に形成された被係合部を有し、上記係合部と被係合部が係合して上記カップ本体が上記取付部材に取り付けられる。上記収容部の中には、複数個のコップが収納可能である。
【０００６】
上記収容部の中には、複数個のコップや、菓子類、玩具類、おしぼり等、適宜の物を収納し得る。
【０００７】
【発明の実施の形態】
以下、この発明の実施形態について図面に基づいて説明する。図１〜図３はこの発明の第一実施形態の市販ボトル用アダプタ１０を示すものである。ここで、飲料が入れられている市販ボトル１２は、一端部が肩部１２ａで径が細くなり、肩部１２ａの先端に円筒状の注ぎ口１４が一体に形成されている。注ぎ口１４の外周面には、注ぎ口１４を閉鎖するキャップ１６が取り付けられる雄ねじが形成されている。そして、キャップ１６は、外側面には縦方向の図示しない溝部が形成され、内周面には市販ボトル１２の注ぎ口１４の雄ねじに螺合される雄ねじが形成されている。
【０００８】
そして、この実施形態の市販ボトル用アダプタ１０は、キャップ１６に取り付ける取付部材１８が設けられている。取付部材１８は、適度な弾力性を有する合成樹脂で作られている。取付部材１８には、一端部が閉鎖された円筒状の保持部２０が設けられ、保持部２０の内周面には、キャップ１６の外側面の溝が嵌合する図示しない突起が形成されている。そして、保持部２０に連続し、市販ボトル１２の注ぎ口１４と市販ボトル１２の肩部１２ａに沿って下方へ広がる円錐部２２が形成されている。円錐部２２の周縁部２４には、図２に示すように、後述するカップ本体２８の係止突起３１の外側に当接して係止する被係合部である被係止突起２６が一周して形成されている。
【０００９】
取付部材１８には、有底筒状のカップ本体２８が取り付けられている。カップ本体２８は、適度な弾力性を有する合成樹脂で作られている。カップ本体２８は、取付部材１８を入れる十分な深さを有し、取付部材１８を入れたとき、カップ本体２８と取付部材１８の間の空間は収容部２９となる。そして、カップ本体２８の周縁部３０には、外側にわずかに膨らむ係合部である係止突起３１が一周して形成され、被係止突起２６に弾発的に係合可能に設けられている。
【００１０】
次に、この実施形態の市販ボトル用アダプタ１０の使用方法について説明する。まず、取付部材１８の外側に収容物を入れる。収容物は、例えば飲料を飲むためのコップ３２であり、同形のコップ３２を５個重ね、取付部材１８に被せる。そしてコップ３２の外側から、カップ本体２８を取り付ける。このとき、カップ本体２８の周縁部３０を、取付部材１８の円錐部２２周縁部２４に軽く押し付けると、カップ本体２８と取付部材１８が互いにわずかに弾性変形し、カップ本体２８の係止突起３１と取付部材１８の被係止突起２６が互いに係止される。
【００１１】
そして、市販ボトル１２のキャップ１６に、取付部材１８の保持部２０を嵌合させ、取り付ける。このとき、キャップ１６の溝部と保持部２０の突起が互いに嵌合し、取付部材１８を回転させるとキャップ１６もそれにともなって回転するように一体に組み合わせられる。
【００１２】
次に、市販ボトル１２の内容物である飲料を飲むときは、カップ本体２８を上方へ引き、わずかに弾性変形させてカップ本体２８の係止突起３１と取付部材１８の被係止突起２６の係止を解除し、カップ本体２８を外す。次にコップ３２を、取付部材１８から取る。そして露出した取付部材１８をキャップ１６ともに回転させ、キャップ１６と市販ボトル１２の注ぎ口１４の螺合を解除して外す。このときキャップ１６は保持部２０内に嵌合した状態で一体的に外れ、その状態のままにしておく。この後、飲料をコップ３２内に注ぎ、飲む。また、カップ本体２８をさかさまにしてコップとし、カップ本体２８で飲料を飲んでもよい。
【００１３】
この実施形態の市販ボトル用アダプタ１０によれば、簡単な構造で市販ボトルに着脱自在に取り付けることができ、収容部２９を有してその収容部２９内にコップ３２等の小物を入れることができる。そして、コップ３２に、市販ボトル１２の飲料を移して飲むことができ、市販ボトル１２の中に異物や唾液が入りにくく、衛生的である。また、コップ１６の携帯にも便利である。さらに、飲みやすく、こぼすことがなく行儀よく飲料を飲むことができる。そして市販ボトル１２の上方を覆うように一体に取り付けられるため、コンパクトで持ち運びが便利である。コップ３２は多数収容可能であり、多人数で飲むことができる。
【００１４】
なお、この実施形態の市販ボトル用アダプタ１０の収容物は、図３に示すように、コップ３２以外に何でもよい。例えば、図３(ａ)には菓子類２７を入れた状態を示し、図３(ｂ)はタオル３５を入れた状態を示している。タオル３５の代わりにハンカチやおしぼり等でもよい。そして図３（ｃ）は玩具類３３を入れた状態を示している。また、市販ボトル用アダプタ１０、及びその中の菓子類２７や玩具類３３は、市販ボトル１２の景品として販売することもできる。
【００１５】
なお、この実施形態の市販ボトル用アダプタ１０は、図４に示すようにカップ本体２８の外側面に、円周方向に等間隔に、一対の持ち手２５が設けられてもよい。これによりカップ本体２８で飲料を飲むとき、持ちやすく、便利である。また、持ち手２５は、片方のみ設けられてもよい。
【００１６】
次に、この発明の第二実施形態について、図５に基づいて説明する。ここで、上記の実施の形態と同様の部材は同一の符号を付して説明を省略する。この実施形態の市販ボトル用アダプタ３４は、市販ボトル１２の注ぎ口１４に、取付部材３６が取り付けられている。取付部材３６は、適度な弾力性を有する合成樹脂で作られている。取付部材３６は、一端部が閉鎖された円筒状に形成され、取付部材３６の円筒状の保持部４０内周面には、市販ボトル１２の注ぎ口１４に形成された雄ネジ３８に螺合される雌ネジ４４が形成されている。そして、取付部材３６の閉鎖された端部の外側面には、後述するカップ本体２８の係合部４６が嵌合する被係合部である溝部４３が一周して設けられている。
【００１７】
また、取付部材３６には、有底筒状のカップ本体２８が、着脱自在に取り付けられている。カップ本体２８は、適度な弾力性を有する合成樹脂で作られている。カップ本体２８は、取付部材３６と、市販ボトル１２の注ぎ口１４と肩部１２ａを覆う十分な深さを有し、市販ボトル１２の注ぎ口１４と肩部１２ａを入れたとき、カップ本体２８と市販ボトル１２の間の空間は収容部４８となる。そして、カップ本体２８の内側中央部には、取付部材３６の溝部４３に嵌合される突起５０が円筒状内側に一周して形成された係合部４６が設けられている。
【００１８】
次に、この実施形態の市販ボトル用アダプタ３４の使用方法について説明する。まず、市販ボトル１２の注ぎ口１４に、取付部材３６を螺合させて取り付ける。そして、取付部材３６の外側またはカップ本体２８内に、図示しない収容物を設ける。収容物は、例えば、ナプキンや折れ曲がり式のストローや楊枝など自由に選択することができる。次に、カップ本体２８を取付部材３６取り付ける。このとき、カップ本体２８の突起５０を取付部材３６の溝部４３に軽く押し付けると、カップ本体２８の係合部４６がわずかに弾性変形し、カップ本体２８の突起５０と取付部材３６の溝部４３が係止される。
【００１９】
次に、市販ボトル１２の内容物である飲料を飲むときは、カップ本体２８を上方へ引き、わずかに弾性変形させて係合部４６の突起５０と取付部材３６の溝部４３の係止を解除し、カップ本体２８を外す。このとき、カップ本体２８内の収容部４８に設けられた収納物も取り出す。そして露出した取付部材３６を回転させて市販ボトル１２の注ぎ口１４との螺合を解除して外す。そして飲料を、注ぎ口１４から直接飲んだり、またカップ本体２８を逆さにしてコップとし内側に飲料を注いで飲んでもよい。
【００２０】
この実施形態の市販ボトル用アダプタ３４によれば、上記実施形態と同様の効果があり、また、取付部材３６が小形で簡単な構造であるためコストが安価である。
【００２１】
次に、この発明の第三実施形態について、図６に基づいて説明する。ここで、上記の実施の形態と同様の部材は同一の符号を付して説明を省略する。この実施形態の市販ボトル用アダプタ５２は、キャップ１６に取り付ける取付部材５４に、一端部が閉鎖された円筒状の保持部５６が設けられ、保持部５６の内周面には、キャップ１６の外側面の溝が嵌合する図示しない突起が形成されている。そして、保持部５６の閉鎖された端面５６ａに連続し、保持部５６の側方へ広がり、市販ボトル１２の肩部１２ａに向かうように下方へ延出する略円筒状の側面部５８が形成されている。側面部５８の周縁部６０外側には、カップ本体２８の後述する係合凹部７０の内側に嵌合されて係止する被係合部である係合凸部６２が一周して形成されている。
【００２２】
そして取付部材５４には、有底筒状のカップ本体２８が取り付けられている。カップ本体２８は、取付部材５４を入れる十分な深さを有し、取付部材５４を入れたとき、カップ本体２８と取付部材５４の間の空間は収容部６６となる。そして、カップ本体２８の周縁部６８内側には、取付部材５４の係合凸部６２が嵌合する係合部である係合凹部７０が一周して形成されている。
【００２３】
次に、この実施形態の市販ボトル用アダプタ５２の使用方法について説明する。まず、取付部材５４の外側に図示しない収容物を入れ、収容物の外側から、カップ本体２８を取り付ける。このとき、カップ本体２８を取付部材５４の外側に被せると、側面部５８の係合凸部６２がカップ本体２８の内壁に押され、わずかに内側に弾性変形する。さらにカップ本体２８を押し下げてカップ本体２８の係合凹部７０が係合凸部６２に一致したとき、側面部５８の弾性変形は元に戻り、係合凸部６２が係合凹部７０に差し込まれ、取付部材５４とカップ本体２８が互いに係止される。そして、市販ボトル１２のキャップ１６に、取付部材５４の保持部５６を嵌合させ、取り付ける。
【００２４】
次に、市販ボトル１２の内容物である飲料を飲むときは、カップ本体２８を上方へ引き、わずかに弾性変形させて取付部材５４の係合凸部６２とカップ本体２８の係合凹部７０の係止を解除し、カップ本体２８を外す。そして収容物を取り出し、露出した取付部材５４を回転させ、キャップ１６と市販ボトル１２の注ぎ口１４の螺合を解除して外す。そして、カップ本体２８と取付部材５４は、ともにコップとして、内側に飲料を注いで使用することができる。
【００２５】
この実施形態の市販ボトル用アダプタ５２によれば、上記実施形態と同様の効果があり、また取付部材５４もコップとして使用することができ便利である。
【００２６】
なお、この実施形態の市販ボトル用アダプタ５２は、図７に示すようにカップ本体２８の外側面に、環状の持ち手２５が設けられていてもよい。持ち手２５が設けられていることにより、カップ本体２８で飲料を飲むとき、持ちやすく、便利である。
【００２７】
なお、この発明の市販ボトル用アダプタは、上記各実施の形態に限定されるものではなく、カップ本体と取付部材の大きさや形状、互いの係合方法等は自由に変更可能である。また、市販ボトルと市販ボトル用アダプタの係合部分は、上記実施形態以外にパッキン等を利用してもよい。
【００２８】
【発明の効果】
この発明の市販ボトル用アダプタは、簡単な構造で市販ボトルに収容部を着脱自在に設けることができる。収容部には、コップやおしぼり等、飲料を飲むときに使用するものや、菓子類や玩具等の景品を、入れることができ、市販ボトルをより使いやすいものにすることができる。
【００２９】
また、カップ本体と取付部材との間の空間に種々の物品を収容することにより、密閉状態で清潔に収容することができ、この市販ボトルアダプタを収納物ともに付け替え、取り外しが可能である。
【図面の簡単な説明】
【図１】  この発明の第一実施形態の市販ボトル用アダプタの縦段面図である。
【図２】  この実施形態の市販ボトル用アダプタの部分拡大縦段面図である。
【図３】  この実施形態の市販ボトル用アダプタに収容物を入れた状態を示す縦段面図（ａ），（ｂ），（ｃ）である。
【図４】  この実施形態の市販ボトル用アダプタの変形例を示す縦段面図である。
【図５】  この発明の第二実施形態の市販ボトル用アダプタの縦段面図である。
【図６】  この発明の第三実施形態の市販ボトル用アダプタの縦段面図である。
【図７】  この実施形態の市販ボトル用アダプタの変形例を示す縦段面図（ａ）と部分拡大断面図（ｂ）である。
【符号の説明】
１０  市販ボトル用アダプタ
１２  市販ボトル
１４  注ぎ口
１６  キャップ
１８  取付部材
２０  保持部
２２  円錐部
２６  被係止突起
２７  菓子類
２８  カップ本体
２９  収容部
３１  係止突起
３２  コップ
【図１】
0004041682.tif 000002
【図２】
0004041682.tif 000003
【図３】
0004041682.tif 000004
【図４】
0004041682.tif 000005
【図５】
0004041682.tif 000006
【図６】
0004041682.tif 000007
【図７】
0004041682.tif 000008